(57)【要約】【課題】  本発明はトライフットボール競技場に関し、特にフィールドの周囲に壁やネットを設置したトライフットボール競技に対応した設備を備えるトライフットボール競技場を提供し、サッカーやフットサルより攻撃的であり、ゴールに迫る回数が多く、圧倒的に得点する機会が多い新感覚の競技を提供するものである。【解決手段】  所定の深さを有するフィールドと、該フィールドの周囲を囲む壁部と、上記フィールドの両側の側面に設けられたゴール部と、上記壁部に延設して設けられたネットと、を有することを特徴とする。【選択図】  図１
2015035992.tif 000002
【特許請求の範囲】
【請求項１】
所定の深さを有するフィールドと、
該フィールドの周囲を囲む壁部と、
前記フィールドの両側の側面に設けられたゴール部と、
前記壁部に延設して設けられたネットと、
を有することを特徴とするトライフットボール競技場。
【請求項２】
前記壁部には弾性部材が配設されていることを特徴とする請求項１に記載のトライフットボール競技場。
【請求項３】
前記競技場は屋外又は屋内にされていることを特徴とする請求項１、又は２に記載のトライフットボール競技場。
【請求項４】
所定の深さを有するフィールドと、該フィールドの周囲を囲む壁部と、前記フィールドの両側の側面に設けられたゴール部と、前記壁部に延設して設けられたネットと、を有するトライフットボール競技場であって、
前記壁部に弾性部材を配設する処理を行なうことを特徴とするトライフットボール競技場の設置方法。
【発明の詳細な説明】
【技術分野】
【０００１】
本発明は少ない人数で競技を行なうことができるトライフットボールの競技場に関する。
【発明の背景】
【０００２】
今日、少ない人数で競技を楽しむことができるフットサルが人気を集めている。フットサルは、基本的に５人制のサッカーであり、欧州や南米では古くから行われているスポーツである。フィールドの広さが１１人制サッカーの約１／９であり、場所の確保が容易である等の理由によって近年競技人口も増加している。
【０００３】
フットサル用の施設としては、例えば特許文献１に係る発明がある。この発明はフットサルコートを屋内に設け、観覧し易い構造とすることによって、雨天時でも競技を行い、例えば施設の稼働率を上げる発明である。
【先行技術文献】
【特許文献】
【０００４】
【特許文献１】特開２０１０−６５４３２号公報
【発明の開示】
【発明が解決しようとする課題】
【０００５】
一方、トライフットボールはフットサルに似た競技であるが、壁やネットに囲まれたフィールドで行われるスポーツであり、ボールがフィールドから外に出ることがなく、常にフィールド内にある。この為、よりエキサイティングな競技空間を演出することができる。したがって、トライフットボール競技場を設置する場合、壁やネットが必要となり、フットサルコートを利用することができず、独自のトライフットボール競技場を設置することが必要となる。
【０００６】
本発明はフィールドの周囲に壁やネットを設置したトライフットボール競技に対応した設備を備えるトライフットボール競技場を提供し、サッカーやフットサルより攻撃的であり、ゴールに迫る回数が多く、圧倒的に得点する機会が多い新感覚の競技を提供するものである。
【課題を解決するための手段】
【０００７】
上記課題は第１の発明によれば、所定の深さを有するフィールドと、該フィールドの周囲を囲む壁部と、前記フィールドの両側の側面に設けられたゴール部と、前記壁部に延設して設けられたネットと、を有するトライフットボール競技場を提供することによって達成できる。
【０００８】
また、上記課題は第２の発明によれば、前記壁部には弾性部材が配設されているトライフットボール競技場を提供することによって達成できる。
【０００９】
また、上記課題は第３の発明によれば、前記競技場は屋外又は屋内にされているトライフットボール競技場を提供することによって達成できる。
【００１０】
また、上記課題は第４の発明によれば、所定の深さを有するフィールドと、該フィールドの周囲を囲む壁部と、前記フィールドの両側の側面に設けられたゴール部と、前記壁部に延設して設けられたネットと、を有するトライフットボール競技場であって、前記壁部に弾性部材を配設する処理を行なうトライフットボール競技場の設置方法を提供することによって達成できる。
【発明の効果】
【００１１】
本発明はフィールドの周囲に壁やネットを設置したトライフットボール競技に対応した設備を備えるトライフットボール競技場を提供し、サッカーやフットサルより攻撃的であり、ゴールに迫る回数が多く、圧倒的に得点する機会が多い新感覚の競技を提供するものである。
【図面の簡単な説明】
【００１２】
【図１】第１の実施形態のトライフットボール競技場の全体図である。
【図２】第１の実施形態のトライフットボール競技場の全体図である。
【図３】観覧席を含むトライフットボール競技場の断面構成図である。
【図４】ゴールの構造を示す図である。
【図５】ゴールを支持する構造体の例を示す図である。
【発明を実施するための形態】
【００１３】
以下、図面を参照しながら本発明の実施の形態について説明する。
図１及び図２は、本実施形態のトライフットボール競技場１の全体図であり、図１はトライフットボール競技場１の一方（右側）を示し、図２はトライフットボール競技場１の他方（左側）を示す。本施設は屋外に設けられており、例えば空き地等の競技場の候補地を選定し、掘削を行い、周囲を壁で囲ったフィールドを作り、更に外部にボールが飛び出ることを阻止するネットを作成し、トライフットボール競技場１が設置されている。
【００１４】
また、両図に示すように本例のトライフットボール競技場１における競技の観戦位置はコート２を囲む四方に設けられる。すなわち、コート２を囲む四方に階段状の観覧席３設けられている。図３は観覧席３を含む本例のトライフットボール競技場１の断面構成図である。
【００１５】
本例の競技場で行うトライフットボールは、3人対3人、4人対4人、5人対5人の少人数で行ない、コートのサイズは、縦方向が２５ｍ〜４２ｍ、横方向が１５ｍ〜２５ｍの大きさである。
【００１６】
また、図１及び図２に示すように、コート２には中央にハーフウェーライン４が表示され、ゴールから所定範囲のペナルティーエリアを示すライン６も表示されている。また、コート２の両側にはゴール５が設けられている。図４は上記ゴール５の構造を示す図である。ゴール５は、例えば高さ９０ｃｍ、幅１８０ｃｍであり、コート２の両側の壁の近傍に設けられている。
【００１７】
図５はゴール５を支持する構造体１０の例であり、複数のフレーム１２を三角状に溶接又は締接し、ゴール５の位置をフレーム１２によって形成している。また、フレーム１２にはネット１３が取り付けられている。尚、上記ゴール５の構造は、コート２の両側において同じである。
【００１８】
また、コート２側の構造体１０には、ウレタンマット等の弾性部材１５が取り付けられている。この弾性部材１５の取り付けは競技者の安全のためである。
【００１９】
また、観戦位置の手前、即ちフィールドの周囲にはネット１７が設けられている。このように構成することにより、コート２からボールが観覧席に飛び出すことを防止することができる。したがって、コート２からボールが外に飛び出すことによる試合の中断がなく、競技をよりエキサイティングなものとしている。
【００２０】
尚、ネット１７はコート２の四隅に設けられたポール１８、及びポール１８間に設けられた横フレーム１９に取り付けられ、ボールの飛び出しを阻止する。また、ポール１８の高さは、例えば６ｍ程度であるが、更に延設することも可能である。
【００２１】
上記のように、本例は屋外の空き地等に設置するトライフットボール競技場１について説明したが、屋内に設置する構成としてもよい。すなわち、屋外に設置する場合と同様、凹形状のフィールドの構造体を構築し、両側にゴール５を設置し、周囲を弾性部材１５によって保護することによって、競技者は安全に競技を行なうことができる。このように構成することによって、例えば雨天においても快適に競技を行うことができるトライフットボール競技場１を提供することができる。
【００２２】
また、トライフットボールは、より少ない人数でフットボールを楽しむことができるスポーツであり、本実施形態のようなトライフットボール競技場が各地にできることによって、スポーツの振興を図ることができるものである。
【符号の説明】
【００２３】
１・・・トライフットボール競技場
２・・・トライフットボールコート
３・・・観覧席
４・・・ハーフウェーライン
５・・・ゴール
６・・・ライン
８・・・プールの側面
９・・・スペース
１０・・構造体
１２・・フレーム
１３・・ネット
１５・・弾性部材
１７・・ネット
１８・・ポール
１９・・横フレーム
【図１】
2015035992.tif 000003
【図２】
2015035992.tif 000004
【図３】
2015035992.tif 000005
【図４】
2015035992.tif 000006
【図５】
2015035992.tif 000007